(57)【要約】　　　
【課題】　独立した大小の容器で構成すると共に、非使用時の収納がコンパクトになり、且つ使用時の積層も、容器の大きさが変わっても容易になされる新規な組み合わせ容器を提供する。
【解決手段】　大小複数の容器体（１ａ，１ｂ，１ｃ，１ｄ）及び前記容器体に対応する蓋体（２ａ，２ｂ，２ｃ，２ｄ）で構成され、容器体に蓋体を被冠装着した状態で、ひとつ上の大きさの容器体に収納できるような入れ子構造であって、各蓋体の縁部を、当該蓋体が被冠される容器体の底部が載置嵌合する突出縁２１に形成すると共に、大きい方の蓋体における突出縁内方に、小さいほうの全ての蓋体の突出縁と対応する傾斜段差２２を設けると共に、最小蓋体の突出縁内方及びその他の蓋体の最小径傾斜段差の内方を下方膨出凹部２３に形成して、前記凹部内に取手部２４を非突出状態で架設してなる。
【選択図】　図１
0003099706.tif 000002
【実用新案登録請求の範囲】
【請求項１】
大小複数の容器体及び前記容器体に対応する蓋体で構成され、容器体に蓋体を被冠装着した状態で、ひとつ上の大きさの容器体に収納できるような入れ子構造であって、各蓋体の縁部を、当該蓋体が被冠される容器体の底部が載置嵌合する突出縁に形成すると共に、大きい方の蓋体における突出縁内方に、小さいほうの全ての蓋体の突出縁と対応する傾斜段差を設けると共に、最小蓋体の突出縁内方及びその他の蓋体の最小径傾斜段差の内方を下方膨出凹部に形成して、前記凹部内に取手部を非突出状態で架設してなることを特徴とする保管用組み合わせ容器。
【請求項２】
容器体及び蓋体が薄金属製を形成すると共に、蓋体中央の下方膨出凹部の裏面に、薄金属板をＵ状とし且つ開口部分を翼状に折曲した部材におけるＵ状部分をスポット溶接して引っ掛け部を設けてなる請求項１記載の保管用組み合わせ容器。
【考案の詳細な説明】
【技術分野】
【０００１】
　本考案は、主として台所で使用する保管用組み合わせ容器に関するものである。
【背景技術】
【０００２】
　台所で使用する食品保管用容器としては、従前より樹脂製と薄金属板製のものが知られており、一般的に前者は小型容器として多用され、後者は大型容器として採用されている。更に後者は加熱調理用容器としても使用されることがある。
【０００３】
　これらの容器においては、複数の容器をセットとした組み合わせ容器が知られており、その組み合わせの目的は、使用時や非使用時の収納がコンパクトになるようにするためのものである。
【０００４】
　そのひとつは、蓋体を装着した状態での積層を可能とするもので、容器体の底面と蓋体上面が嵌合する形状に形成して、同一容器の積層を可能にしているものが知られている（特許文献1）。
【０００５】
　また別の手段として、蓋体を外した状態での容器体を嵌合する所謂スタッキング構造の容器が知られている（特許文献２）。
【０００６】
【特許文献１】登録実用新案第３０３４８９０号公報。
【特許文献２】特開２００１―１７３１０号公報
【考案の開示】
【考案が解決しようとする課題】
【０００７】
　従前容器の積層収納は同一容器のみの積層を考慮しており、異なる大きさの積層収納は考慮されていなかった。またスタッキング収納も、容器体を順次嵌合積層することのみが考慮されており、蓋の一体収納保管は考慮されていなかった。
【０００８】
　そこで本考案は、独立した大小の容器で構成すると共に、非使用時の収納がコンパクトになり、且つ使用時の積層も容易になされる新規な組み合わせ容器を提案したものである。
【課題を解決するための手段】
【０００９】
　本考案に係る食品保管用組み合わせ容器は、大小複数の容器体及び前記容器体に対応する蓋体で構成され、容器体に蓋体を被冠装着した状態で、ひとつ上の大きさの容器体に収納できるような入れ子構造であって、各蓋体の縁部を、蓋体を被冠する容器体の底部が載置嵌合する突出縁に形成すると共に、大きい方の蓋体における突出縁内方に、小さいほうの全ての蓋体の突出縁と対応する傾斜段差を設けると共に、最小蓋体の突出縁内方及びその他の蓋体の最小径傾斜段差の内方を下方膨出凹部に形成して、前記凹部内に取手部を非突出状態で架設してなることを特徴とするものである。
【考案の効果】
【００１０】
　上記構成を採用することで、不使用時においては、最大容量容器内に他の全ての容器（容器体及び蓋体）が収納できるものであり、収納に際してコンパクト化され、容量の異なる容器を選択的に使用した場合や、他の同一セットの同一容量容器を使用した場合でも、同一容量容器や当該容器より小容量の容器は、当該容器の蓋体上の突出縁又は所定の傾斜段差に嵌まり込み、安定良く積層される。
【考案を実施するための最良の形態】
【００１１】
　次に本考案の実施の形態について説明する。実施形態に示した食品保管用組み合わせ容器は、薄金属板製の容量の相違する複数の容器体１（１ａ，１ｂ，１ｃ，１ｄ）と、各容器体１に対応する蓋体２（２ａ，２ｂ，２ｃ，２ｄ）とで構成される。
【００１２】
　各容器体1の容量は、小さい容量の容器体１ａに蓋体２ａを被冠した状態で、一つ大きい容器体１ｂに収納できる大きさとしたものである。同様に蓋体２ｂを被冠した容器体１ｂは、容器体１ｃに収納され、蓋体２ｃを被冠した容器体１ｃは、容器体１ｄに収納される。
【００１３】
　また各容器体１ａ，１ｂ，１ｃ，１ｄの側面部分と底面部分の境界部分は適宜な湾曲面若しくは傾斜面としておき、後述する突出縁部２１や傾斜段差２２に対応する形状としたものである。
【００１４】
　各蓋体２ａ，２ｂ，２ｃ，２ｄは、その縁部を各蓋体２ａ，２ｂ，２ｃ，２ｄが被冠する容器体１ａ，１ｂ，１ｃ，１ｄを載置した際に、各容器体１ａ，１ｂ，１ｃ，１ｄの底部が内方に嵌合する突出縁２１に形成すると共に、大きい方の蓋体２ｂ，２ｃ，２ｄにおいては、突出縁２１の内方に、小さいほうの全ての蓋体の突出縁２１と対応する傾斜段差２２を設けてなる。
【００１５】
　更に、最小蓋体２ａの突出縁２１の内方及びその他の蓋体２ｂ，２ｃ，２ｄの最小径傾斜段差２２の内方を下方膨出凹部２３に形成して、前記凹部２３内に取手部２４を非突出状態で架設してなる。
【００１６】
　また前記各下方膨出凹部２３の裏面には、引っ掛け部２５を設けたもので、引っ掛け部２５は、薄金属板をＵ状とし且つ開口部分を翼状に折曲したΩ形状の部材で、前記部材におけるＵ状部分を下方膨出凹部２３の裏面にスポット溶接して形成したものである。
【００１７】
　而して図１に例示するように、最小容量の容器体１ａに蓋体２ａを被冠した状態で、次の大きさの容器体１ｂに収納することができ、２番目小さい容器体１ｂは、次の大きさの容器体１ｃに収納できるなど順次入れ子状態で収納できる。従って容器として使用しない場合には、全て最大容器体１ｄに収納できコンパクトにして保管収納ができる。
【００１８】
　また使用時には、図２に例示する通り、容器体１の縁部分に引っ掛け部２５を係止することで、蓋体２をテーブル面上に置くことなく、スプーンなどによる収納食品の出し入れを行うことができる。
【００１９】
　また各容器（容器体と蓋体）は、独自に食品保管容器として使用され（加熱容器としても使用できる）、当該容器より大きい容器の蓋体２上に載置すると、蓋体２におけるいずれかの傾斜段差２２に容器体１の底部分が嵌合することになり、安定して載置積層できるものである。
【００２０】
　尚本考案は台所用の食品保管用容器に限定されるものではなく、薬品保管等種々の物品（粉体や粒体）の保管に使用できる容器にも適用できることは勿論である。
【図面の簡単な説明】
【００２１】
【図１】本考案の実施形態の容器収納状態の一部断面図。
【図２】同使用状態の説明図（蓋体の引っ掛け状態の断面図）。
【図３】同蓋体の平面図。
【図４】同蓋体への容器体の載置積層状態の説明図。
【符号の説明】
【００２２】
１（１ａ，１ｂ，１ｃ，１ｄ）　　容器体
２（２ａ，２ｂ，２ｃ，２ｄ）　　蓋体
２１　　　突出縁
２２　　　傾斜段差
２３　　　下方膨出凹部
２４　　　取手部
２５　　　引っ掛け部
【図１】
0003099706.tif 000003
【図２】
0003099706.tif 000004
【図３】
0003099706.tif 000005
【図４】
0003099706.tif 000006